(57)【要約】【課題】利用者毎の個別調整を許容して部分的な画質調整が行われた撮像画像に基づく画像を出力可能にし、個々の利用者が互いに満足できる出力結果を提供可能な写真シール作成方法とその装置、及びシール紙ユニットを提案し、利用者全員の満足度を向上させる。【解決手段】撮像空間内の一以上の被写体を照明手段で照明し撮像手段で撮像して撮像画像を作成する撮像処理を許容し、該撮像画像、又は／及び他の取得手段で取得の取得画像等の編集対象画像を、利用者が編集手段で編集して編集画像を作成する編集処理を許容し、所定の画像を出力手段で出力する写真シール作成方法又はその装置に対して、前記照明手段を複数備え、各照明手段の光質の個別変更を可能にする光質変更手段と、前記照明手段の１以上に対して照明範囲の変更を可能にする可動手段とを設けた。【選択図】    図１
2004177744.tif 000002
【特許請求の範囲】
【請求項１】
撮像空間内の一以上の被写体を照明手段で照明し撮像手段で撮像して撮像画像を作成する撮像処理を許容し、
該撮像画像、又は／及び他の取得手段で取得の取得画像等の編集対象画像を、利用者が編集手段で編集して編集画像を作成する編集処理を許容し、
所定の画像を出力手段で出力する写真シール作成方法であって、
前記照明手段を複数備えて各照明手段の光質の個別変更を許容し、
前記照明手段の１以上に対して可動手段による照明範囲の変更を許容して、
前記可動手段で変更された照明範囲の光質が前記照明手段で調整された撮像画像に基づく画像を前記出力手段で出力可能にする
写真シール作成方法。
【請求項２】
撮像空間内の一以上の被写体を照明手段で照明し撮像手段で撮像して撮像画像を作成する撮像処理を許容し、
該撮像画像、又は／及び他の取得手段で取得の取得画像等の編集対象画像を、利用者が編集手段で編集して編集画像を作成する編集処理を許容し、
所定の画像を出力手段で出力する写真シール作成方法であって、
前記編集処理で、
前記編集対象画像に対して利用者による編集手段での任意の領域指定を許容し、該指定領域の画質調整を該編集手段で許容して、
利用者に指定された前記指定領域の画質が調整された編集画像を前記出力手段で出力可能にする
写真シール作成方法。
【請求項３】
前記指定領域を、
利用者に前記編集手段で指定された１以上の指定画素に対し、同一色又は近似色である近似画素を該近似画素又は上記指定画素と隣接する範囲で抽出する抽出処理で決定する
請求項２記載の写真シール作成方法。
【請求項４】
撮像空間内の一以上の被写体を照明手段で照明し撮像手段で撮像して撮像画像を作成する撮像処理を許容し、
該撮像画像、又は／及び他の取得手段で取得の取得画像等の編集対象画像を、利用者が編集手段で編集して編集画像を作成する編集処理を許容し、
所定の画像を出力手段で出力する写真シール作成装置であって、
前記照明手段を複数備え、
各照明手段の光質の個別変更を可能にする光質変更手段と、
前記照明手段の１以上に対して照明範囲の変更を可能にする可動手段とを設けた写真シール作成装置。
【請求項５】
撮像空間内の一以上の被写体を照明手段で照明し撮像手段で撮像して撮像画像を作成する撮像処理を許容し、
該撮像画像、又は／及び他の取得手段で取得の取得画像等の編集対象画像を、利用者が編集手段で編集して編集画像を作成する編集処理を許容し、
所定の画像を出力手段で出力する写真シール作成装置であって、
前記編集手段に、前記編集対象画像に対して利用者による編集手段での任意の領域指定を許容し、該指定領域の画質調整を行う画質調整処理を設定した
写真シール作成装置。
【請求項６】
前記編集手段に、利用者に前記編集手段で指定された１以上の指定画素に対し、同一色又は近似色である近似画素を該近似画素又は上記指定画素と隣接する範囲で抽出して前記指定領域を決定する抽出処理を設定した
請求項５記載の写真シール作成装置。
【請求項７】
画像が印刷されるシール紙と、該シール紙の真偽を識別させる識別体を備え、請求項１から６のいずれか１つに記載の写真シール作成方法又は写真シール作成装置に備えられた識別手段で、前記識別体が識別されて前記所定の画像が印刷される
シール紙ユニット。
【発明の詳細な説明】
【０００１】
【発明の属する技術分野】
この発明は、例えばゲームセンター等のアミューズメント施設に設置し、利用者を撮像してその撮像画像に落書き編集することを許容し、編集後の編集画像をシール紙に印刷して写真シールシートを作成するような、写真シール作成方法とその装置、及びシール紙ユニットに関する。
【０００２】
【従来の技術】
従来、照明装置で被写体を照明してデジタルカメラで撮像し、該撮像で得た撮像画像に落書き等の編集を許容し、該編集で得た編集画像を印刷した写真シールシートを利用者に提供する写真シール作成機が存在している。
【０００３】
このような写真シール作成機では、利用者が美しく撮像されることが望まれており、例えば顔の明るさを目安に撮像画像の明るさ補正を許容するタイプや、編集処理で顔に化粧を行えるタイプが提案されている（例えば特許文献１及び２参照）。
【０００４】
【特許文献１】
特開平１１−６４９６７号公報
【特許文献２】
特開２０００−６９４０４号公報。
【０００５】
【発明が解決しようとする課題】
このような写真シール作成機では利用者が友人同士で複数人集まって一緒に撮像することが多いが、前述のタイプの写真シール作成機では、各人によって異なる好みに完全に対応することができなかった。すなわち、全員の妥協点の明るさに設定し、これを印刷した写真シールシートを取得することしかできなかった。
また、化粧を行うタイプであっても、口紅を塗るなどのお絵かき感覚で画像編集をするだけであり、撮像画像の明るさ調整等の画質補正を行えるものではなかった。
【０００６】
この発明は、上述の問題に鑑みて、利用者毎の個別調整を許容して部分的な画質調整が行われた撮像画像に基づく画像を出力可能にし、個々の利用者が互いに満足できる出力結果を提供可能な写真シール作成方法とその装置、及びシール紙ユニットを提案し、利用者全員の満足度を向上させることを目的とする。
【０００７】
【課題を解決するための手段】
この発明は、撮像空間内の一以上の被写体を照明手段で照明し撮像手段で撮像して撮像画像を作成する撮像処理を許容し、該撮像画像、又は／及び他の取得手段で取得の取得画像等の編集対象画像を、利用者が編集手段で編集して編集画像を作成する編集処理を許容し、所定の画像を出力手段で出力する写真シール作成方法又はその装置であって、前記照明手段を複数備え、各照明手段の光質の個別変更を可能にする光質変更手段と、前記照明手段の１以上に対して照明範囲の変更を可能にする可動手段とを設けた写真シール作成方法又はその装置であることを特徴とする。
【０００８】
前記撮像空間は、撮像用に利用者に提供する空間を指し、前記撮像手段で撮像可能な範囲の空間、又は、背景部材や出入り口部材等の周景部材で囲繞（若しくは略囲繞）した空間で構成することを含む。
前記照明手段は、ストロボ発光するストロボ照明装置、又は／及び、蛍光灯や白熱灯等の連続照明装置で構成することを含む。
【０００９】
前記撮像手段は、デジタルカメラ又はデジタルビデオカメラで構成することを含む。
前記他の取得手段は、カメラ付き携帯電話やノートパソコン等の携帯情報端末と通信する通信手段、フレキシブルディスクや不揮発性メモリ媒体等の記憶媒体に記憶の情報を読取る記憶媒体読取手段、写真や絵画等の実画像をスキャニングするスキャナ等、画像データを取り込み可能なデータ取込手段で構成することを含む。
【００１０】
前記取得画像は、通信手段又は記憶媒体読取手段等のデータ取込手段で取得する画像、すなわち個人用デジタルカメラでの撮像やパソコンでのグラフィック制作等によるデジタル画像や、写真や絵画等の実画像をスキャナでスキャニングしたスキャニング画像で構成することを含む。
【００１１】
前記編集手段は、利用者にタッチペン又は指でタッチされた座標を取得するタッチパネルやマウス等のポインティングデバイス（座標入力手段）で構成することを含み、該ポインティングデバイスと制御装置（ＣＰＵやＭＰＵ等）で構成することを含む。
【００１２】
前記所定の画像は、前記撮像画像、前記デジタル画像、又は前記スキャニング画像等の編集前の画像、又はこれら編集前の画像を編集手段で編集した編集画像、又は、前記編集前の画像又は／及び前記編集画像から選択された複数の画像で構成することを含む。
【００１３】
前記光質は、光の明るさである光度又は及び光の色合いである色調で構成することを含む。
例えば色調を調整する場合は、光の３原色であるＲＧＢの各光源を備える等複数の光源を備え、それぞれの光源の光度を個別に調整するか連動して調整することで、利用者の好みの色合いで照明できるように構成することを含む。
【００１４】
個別に調整する場合は、ロータリスイッチやスライドスイッチ等の色調個別調整手段をＲ（赤），Ｇ（緑），Ｂ（青）の各光源用に備え、一つずつ利用者が変更できるように構成すればよい。
【００１５】
また連動して調整する場合には、ＲＧＢの各光源の光度を連動して調整するロータリスイッチやスライドスイッチ等の色調連動調整手段を備え、１つの色調連動調整手段の操作によって各光源の光度のバランスを変更して色合いを変更できるように構成すればよい。
【００１６】
この場合、例えばスライドスイッチを使用し、一番左の位置で白色照明（ＲＧＢが全て強い）を行い、右へ移動させるにつれてＲ（赤）を弱くしてシアン色に変更し、次にそのままＧ（緑）を弱くして青色に変更し、次にそのままＲ（赤）を強くしてマゼンタ色に変更し、次にそのままＢ（青）を弱くして赤色に変更し、次にそのままＧ（緑）を強くしてイエロー色に変更するように制御手段での照明制御を設定すれば、１つの連続調整手段の操作で一通りの色合いを中間色も含めて連続的に変化させることができる。
【００１７】
上述のように色合いを変化させる場合は、正面開放のボックス状の内部に反射面（例えば白色面や銀色面やメッキ面等）を形成すると共に正面に半透明部材による拡散板を備えた照明ボックスを使用し、該照明ボックス内にＲＧＢの各光源を反射面に向かって照明するように備えることが望ましい。これにより、ＲＧＢの各色が照明ボックス内で反射し、十分にブレンドされて安定した色合いで照明することができる。
【００１８】
前記個別変更は、照明手段毎に前記光質を変更することを指す。
前記光質変更手段は、スライドスイッチ、段階切替えスイッチ、又はポインティングデバイスで構成することを含む
前記可動手段は、前記照明手段の照明方向を手動又は駆動手段（モータ等）による自動制御で変更可能にする枢着体、前記照明手段の照明位置（光源位置）を手動又は駆動手段で変更可能にする枢動アーム、前記照明手段の照明範囲を手動又は駆動手段で拡大／縮小可能にするカメラシャッタのような発光面絞り機構、又は、これらの複数を組み合わせた可動装置で構成することを含む。
【００１９】
前記照明範囲の変更は、照明する角度の変更による照明範囲の位置変更、照明する光源位置の変更による照明範囲の位置変更、又は、照明光の拡散範囲の変更による照明範囲の大きさ変更で構成することを含む。
【００２０】
前記出力手段は、モノトーンプリンタ、セピア（ｓｅｐｉａ）トーンプリンタ又はカラープリンタ等画像を印刷する印刷手段、画像データを送信する通信手段、又は画像データを記憶媒体に書き込む記憶媒体リーダ／ライタで構成することを含む。
【００２１】
またこの発明は、撮像空間内の一以上の被写体を照明手段で照明し撮像手段で撮像して撮像画像を作成する撮像処理を許容し、該撮像画像、又は／及び他の取得手段で取得の取得画像等の編集対象画像を、利用者が編集手段で編集して編集画像を作成する編集処理を許容し、所定の画像を出力手段で出力する写真シール作成方法又はその装置であって、前記編集手段に、前記編集対象画像に対して利用者による編集手段での任意の領域指定を許容し、該指定領域の画質調整を行う画質調整処理を設定した写真シール作成方法又はその装置とすることができる。
【００２２】
前記利用者による任意の領域指定は、編集手段での編集対象画像の所定部分の指定であり、例えば前記座標入力手段で直接指定する、あるいは該座標入力手段での指定に基づいてＣＰＵやＭＰＵ等の制御手段が選択領域を決定することを含む。
【００２３】
前記指定領域は、利用者が指定した編集対象画像上の点を中心とする円形や四角形等の定型領域、利用者が座標入力手段で画像に沿ってあるいは楕円形等の適当な形状に囲った自由領域、又は後述の抽出領域で構成することを含む。
前記画質調整は、指定領域の明度、色相、彩度、又はこれらの複数を変更して実行する調整を含む。
【００２４】
好ましい実施の形態として、前記指定領域を、利用者に前記編集手段で指定された１以上の指定画素に対し、同一色又は近似色である近似画素を該近似画素又は上記指定画素と隣接する範囲で抽出する抽出処理で決定することができる。
【００２５】
前記同一色は、ＲＧＢ値、ＣＭＹＫ値、又は白黒値（ブラック値）が同一である色で構成することを含む。なお、ＲＧＢとは光の３原色であるレッド、グリーン、ブルーを指し、ＣＭＹＫは印刷の４原色であるシアン、マゼンタ、イエロー、ブラックを指す。
【００２６】
前記近似色は、前記指定画素の値に対して、ＲＧＢ値、ＣＭＹＫ値、又は白黒値があらかじめ設定した既定範囲内にある色で構成することを含む。例えばＲとＧとＢの格差分（ずれ）がそれぞれ規定範囲（例えば±１０）以内である色、あるいはＲとＧとＢの格差分の絶対値の合計が規定値（例えば３０）以内である色といったように、適宜の規定値を設定することを含む。
なお、この実施形態の抽出処理で決定した指定領域を、前述の抽出領域とする。
【００２７】
またこの発明は、画像が印刷されるシール紙と、該シール紙の真偽を識別させる識別体を備え、前記写真シール作成方法又はその装置に備えられた識別手段で、前記識別体が識別されて前記所定の画像が印刷されるシール紙ユニットとすることができる。
【００２８】
前記識別体は、非接触でデータを読書きするＩＤタグ、情報を記録したバーコード又はＩＣカード、又は、特定形状に形成したシール紙ユニットのユニット形状であることを含む。
【００２９】
該識別体を識別する識別手段は、ＩＤタグに記憶のデータを読取るＩＤタグリーダ、バーコードを読取るバーコードスキャナ、ＩＣカードに記憶のデータを読取るＩＣカードリーダ、特定形状に形成したシール紙ユニットのユニット形状と嵌合する嵌合部で構成することを含み、前記写真シール作成装置に備えることを含む。
【００３０】
前記シール紙ユニットは、識別体とシール紙（印刷媒体）とを一体にして構成する、あるいは前記識別体とシール紙とを別体にして構成することを含む。
前記シール紙は、印刷可能層の裏側に粘着層を備えたシール媒体等、貼付可能媒体で構成することを含む。
【００３１】
【発明の効果】
この発明は、照明手段を複数備え、各照明手段を光質の個別変更が可能に形成し、前記照明手段の１以上に対して照明範囲の変更を可能にする可動手段を設けたことにより、前記可動手段で変更された照明範囲の光質が前記照明手段で調整された撮像画像に基づく画像を出力手段で出力可能にすることができる。また、可動手段で照明範囲を変更するか照明手段での光質を変更するかいずれか一方のみを実行して撮像された撮像画像に基づく画像を出力手段で出力可能にすることもできる。これにより、撮像を行う複数人の利用者が個別に照明範囲又は／及び光質を変更した利用者毎に明るさの異なる撮像画像や、利用者毎に照明方向の異なる撮像画像等、個別調整済みの撮像画像を取得し、該撮像画像に処理を行った編集画像を出力することができる。
【００３２】
また、前記編集処理で、前記編集対象画像に対して利用者による編集手段での任意の領域指定を許容し、該指定領域の画質調整を許容することで、利用者に指定された前記指定領域の画質が調整された編集画像を前記出力手段で出力可能にすることができる。
【００３３】
さらに、抽出処理で近似色の部分を容易に選択することができ、例えば顔部分の画質調整を行うといったことが誰でも容易に行える。
【００３４】
このようにして、複数人の利用者が一緒に撮像して編集する場合に、各利用者が個別に自分の写り具合を好みに応じて撮像時又は／及び編集時に調整することを許容し、写っている利用者全員の好みを個別反映させた写真シールを提供することができ、利用者の満足度を向上させることができる。
【００３５】
【発明の実施の形態】
この発明の一実施形態を以下図面と共に説明する。
まず、図１に示す正面右上から見た斜視図と共に、写真シール作成機１の外観について説明する。
【００３６】
写真シール作成機１は、ボックス状の枠体３で囲繞した撮像空間５の正面奥側に筐体４を備えており、前記枠体３の上辺からは、側面及び正面にカーテン２（右側面は一部図示省略）を吊るして、撮像空間５を外界から隔離している。
【００３７】
前記筐体４には、正面中央に前下がりの傾斜部を形成し、該傾斜部にモニタ１４を備える。該モニタ１４にはタッチパネル１５ａを重ねて設け、その左右に備えたタッチペン１５ｂ，１５ｂで該タッチパネル１５ａをタッチさせて、利用者の入力を許容する。
【００３８】
前記傾斜部の上方の鉛直部には、中央にデジタルカメラ１２を備え、該デジタルカメラの左右にストロボ発光する固定照明装置１３Ａ，１３を配設する。なお、該固定照明装置１３Ａは、ボックス状に形成して正面を白色半透明の拡散板で形成し、他の面を白色塗装した反射板で形成する。これにより、ストロボ発光体で奥側に向かって照射する照射光を前記反射板で反射し、その反射光を拡散板で拡散して主に被写体を略均一に照明する。
【００３９】
前記傾斜部の下方正面には、硬貨の投入を許容するコイン投入口１６ａを備え、筐体４の右側面下部には、作成した写真シールシートを排出する写真シール排出口１８ａを備える。
【００４０】
撮像空間の上方少し正面側には、左右に可動スポットライト１３Ｂ，１３Ｂを備え、撮像空間後方（図示左手前）の左右には、ライトコントローラ１９，１９を備える。
【００４１】
前記可動スポットライト１３Ｂは、図２の斜視図に示すように、本体１３１の正面側に円形の発光面１３２を備え、該発光面近傍の本体１３１の外周部に光度調整つまみ１３３を備える。該光度調整つまみ１３３は、利用者にスライド操作されることで、可動スポットライト１３Ｂが照射する照明の光度を変更する。
【００４２】
前記本体１３１は、図３の説明図に示すようにシャフト３２を介して基軸部３１に接続している。なお、図は左側の可動スポットライト１３Ｂを示しており、（Ａ）は正面図、（Ｂ）は、右側面図を示す。
【００４３】
前記基軸部３１には、（Ｂ）に示すように、背面側に電磁ブレーキ４１を介して減速機構付きモータ４４ａを接続する。該減速機構付きモータ４４ａは、正逆回転するパルスモータ４３に、歯車の組み合わせで回転速度を減速する減速機構４２を接続して形成する。
【００４４】
また、前記減速機構付きモータ４４ａの回転軸は、シャフト３２の上端部に固着する。
このように枢動機構（基軸部３１、シャフト３２、電磁ブレーキ４１、及び減速機構付きモータ４４ａ）を構成して、前記減速機構付きモータ４４ａでシャフト３２を枢動し、枢動後の所定位置に電磁ブレーキ４１で停止させておくことができる。
【００４５】
前記シャフト３２の下端部には小型の減速機構付きモータ４４ｂを内蔵し、該減速機構付きモータ４４ｂの回転軸には回転部材３３を固着する。これにより、回転部材３３をシャフト３２の幅方向に回転させることができ、上記回転部材３３に接続している可動スポットライト１３Ｂの横方向の首ふりを可能にしている。
【００４６】
前記回転部材３３と前記可動スポットライト１３Ｂは、ライト軸部３４を介して減速機構付きモータ４４ｃで枢着している。なお、該減速機構付きモータ４４ｃとライト軸部３４との間には電磁ブレーキ４１（図示省略）を備える。これにより、前述の基軸部３１、シャフト３２、電磁ブレーキ４１、及び減速機構付きモータ４４ｃによる枢動機構と同様に可動スポットライト１３Ｂの上下方向の首ふりを可能にしている。
【００４７】
図１と共に前述したライトコントローラ１９は、図４の平面図に示すように構成する。
該ライトコントローラ１９は、照明角度変更操作部、照明位置変更操作部、光度変更操作部、及び決定／キャンセル操作部で構成する。
【００４８】
前記照明角度変更操作部は、上向き枢動ボタン１９ａ、左向き枢動ボタン１９ｂ、下向き枢動ボタン１９ｃ、及び右向き枢動ボタン１９ｆで構成する。
前記照明位置変更操作部は、右上移動ボタン１９ｇ、及び左下移動ボタン１９ｈで構成する。
【００４９】
前記光度変更操作部は、明るく変更ボタン１９ｊ、及び暗く変更ボタン１９ｄで構成する。
前記決定／キャンセル操作部は、決定ボタン１９ｋ、及びキャンセルボタン１９ｅで構成する。
【００５０】
図１と共に前述した写真シール排出口１８ａの内部には、図５の部分拡大図（一部断面図）に示すように、パーソナルコンピュータで構成した制御装置１１とその上方に設置したプリンタ１８を備える。
【００５１】
該プリンタ１８は、カラーインクジェットプリンタで構成し、シール紙ユニット３０のシール紙３２に写真印刷等の印刷を行う。また、シール紙ユニット３０をセット可能（着脱可能）に形成しており、背面側にＩＤタグリーダ／ライタ１７を備える。
【００５２】
前記シール紙ユニット３０は、ロール状のシール紙３２とその側面に備えたＩＤタグ３１で構成し、該ＩＤタグ３１は前記ＩＤタグリーダ／ライタ１７によるデータの読書きを許容する。なお、前記プリンタ１８でシール紙３２に画像が印刷されて作成された写真シールシート３３は、前記写真シール排出口１８ａから排出する。
【００５３】
以上の構成により、利用者は固定照明装置１３Ａ及び可動スポットライト１３Ｂの照明を受けてデジタルカメラ１２で撮像し、該撮像による撮像画像に対してタッチパネル１５ａをタッチペン１５ｂでタッチして編集し、該編集によって得た編集画像をプリンタ１８で印刷した写真シールシート３３を取得することができる。
【００５４】
利用者が２人の場合には、照明の指向性がある可動スポットライト１３Ｂ，１３Ｂを各人が１つずつ使用し、好みの方向から好みの光度で好みの位置を照明することができ、撮像画像の仕上がりに大きく影響する照明環境を、個別に設定することができる。
【００５５】
次に、図６に示す写真シール作成機１の制御回路を示す回路ブロック図と共に、写真シール作成機１の回路構成について説明する。
【００５６】
制御装置１１は、ＣＰＵ，ＲＯＭ，及びＲＡＭを内蔵して各装置の制御を実行し、該制御装置１１に接続して以下の各装置を備える。なお、制御装置１１は、記憶装置２１に格納したプログラムに従って各処理を実行し、前記可動スポットライト１３Ｂの可動制御及び光度変更制御も実行する。
【００５７】
すなわち、可動制御の場合、前述の照明角度変更操作部による上下方向の枢動であれば前記減速機構付きモータ４４ｃを回転駆動し、左右方向の枢動であれば前記減速機構付きモータ４４ｂを回転駆動する。また、前記照明位置変更操作部が利用者に操作された場合であれば、減速機構付きモータ４４ａを回転駆動する。
また、光度変更制御の場合、前述の光度変更操作部による操作に従って、可動スポットライト１３Ｂの光度を変更制御する。
【００５８】
デジタルカメラ１２は、制御装置１１からの撮像開始信号を受けて撮像を実行し、該撮像時にシャッタのトリガ信号を出力する。該撮像による撮像画像は静止画データで、また撮像前のプレビュー画像は動画データで、それぞれ画像データとして制御装置１１に送信する。また設定信号を受信し、設定値の変更等を実行する。
【００５９】
固定照明装置１３Ａは、制御装置１１からの照明制御信号（光度調整信号を含む）に従って、光度調整及び調整された光度でのストロボ発光を実行し、撮像時に被写体を略均一に照明する。なお、該固定照明装置１３Ａは、ストロボ発光するストロボ照明装置に加えて蛍光灯照明装置又は／及び白熱灯照明装置を追加しても良く、またストロボ照明装置に替えて蛍光灯照明装置又は／及び白熱灯照明装置を備えても良い。
【００６０】
可動スポットライト１３Ｂは、固定照明装置１３Ａと同様に、制御装置１１からの照明制御信号に従ってストロボ発光を実行し、撮像時に被写体を略均一に照明する。なお、該可動スポットライト１３Ｂも、ストロボ発光するストロボ照明装置に加えて蛍光灯照明装置又は／及び白熱灯照明装置を追加しても良く、またストロボ照明装置に替えて蛍光灯照明装置又は／及び白熱灯照明装置を備えても良い。
【００６１】
モニタ１４は、制御装置１１からのＲＧＢ信号に従って、プレビュー、撮像画像、画像編集時のペンツールやスタンプルール等のアイテム画像等、必要な画像を表示する。なお、デジタルカメラ１２の近傍にプレビュー表示を可能にするモニタを別途備えても良い。これにより、撮像ポーズや位置の確認、ならびに照明時の色合いや光度の確認をカメラ目線で行うことができる。
【００６２】
入力装置１５は、前述のタッチパネル１５ａ（図１）とタッチペン１５ｂで構成し、利用者にタッチペン１５ｂでタッチされた座標を入力信号として制御装置１１に送信する。
【００６３】
貨幣処理装置１６は、前述のコイン投入口１６ａ（図１）の内部に位置して設けており、該コイン投入口１６ａから投入された硬貨等のコインの真偽判別及び金種判別を実行する。該真偽判別及び金種判別が正であれば、プレイを開始する起動信号を制御装置１１に送信する。
【００６４】
ＩＤタグリーダ／ライタ１７は、制御装置１１の更新信号に従ってシール紙ユニット３０のＩＤタグ３１に印刷残回数などの設定データを記憶させる。また、読出信号として前記ＩＤタグ３１に記憶のＩＤナンバーや印刷残回数などの設定データを制御装置１１に送信し、シール紙ユニット３０の適否判断を可能にする。
【００６５】
プリンタ１８は、制御装置１１からプリント画像データを受信し、該プリント画像をシール紙３２に印刷して作成した写真シールシート３３を排出する。
ライトコントローラ１９は、前述の照明角度変更操作部、照明位置変更操作部、光度変更操作部、及び決定／キャンセル操作部で構成し、利用者に操作（押下）された操作信号を制御装置１１に送信する。
【００６６】
駆動装置２０は、前述の減速機構付きモータ４４（４４ａ，４４ｂ，４４ｃ）で構成し、制御装置１１からの回転制御信号に従って、減速機構付きモータ４４ａ，４４ｂ，４４ｃをそれぞれ正逆回転、静止する。
記憶装置２１は、通常（デフォルト）の照明光度やプレイ料金等の各種設定データ、及び必要なプログラムを記憶する。
【００６７】
以上の回路構成により、利用者によるライトコントローラ１９での操作に従って、可動スポットライト１３Ｂの照明方向、照明基点位置、照明範囲、及び照明光度をデジタル制御することができる。これにより、利用者が撮像空間５（図１）でポーズをとりながら、容易にすばやく照明光を調整することができる。
このように調整した可動スポットライト１３Ｂによる照明光を得て、撮像、編集、印刷を実行することができる。
【００６８】
次に、図７に示す写真シール作成機１の制御装置１１の動作を示す処理フロー図と共に、図８の撮像イメージ図、及び図９の編集画面イメージ図を参照して、全体の動作について説明する。
【００６９】
利用者によってコイン投入口１６ａ（図１）にコインが投入されると（ステップｎ１）、制御装置１１は、モニタ１４に可動スポットライト１３Ｂを利用するか否かを選択させる選択画面を表示し、利用者に選択させる（ステップｎ２）。
【００７０】
可動スポットライト１３Ｂを利用する場合は、図８の撮像イメージ図に示すように、ライトコントローラ１９（図４）の操作による可動スポットライト１３Ｂの照明調整（照明方向、照明基点、照明範囲、及び照明光度の調整）を許容する（ステップｎ３）。
【００７１】
照明調整後に利用者によって決定ボタン１９ｋが押下されると（ステップｎ４）、制御装置１１は撮像処理を実行する（ステップｎ５）。該撮像処理では、音声によってカウントダウンを行い、該カウントダウンのタイミングで固定照明装置１３Ａ及び可動スポットライト１３Ｂを前記ステップｎ３での照明調整に対応してストロボ発光させると共に、デジタルカメラ１２のシャッタを切って撮像する。該撮像によって利用者にＯＫとされた撮像画像が既定枚数（例えば４枚）得られるまで、カウントダウンから撮像までの処理を繰り返す。
【００７２】
撮像処理が終了すると、図９の画面イメージ図に示す編集画面をモニタ１４に表示し、制御装置１１は編集処理を実行する（ステップｎ６）。
該編集処理では、水玉ペンやスプレーペン等のペンツール１４ａやマジックスタンプやラインスタンプ等等、さくらんぼや犬等の画像をスタンプのように書き込めるスタンプツール１４ｂ等の落書きツールを表示し、利用者にタッチペン１５ｂで選択された撮像画像に対して落書きツールを利用した落書き編集等の編集操作を許容する。
【００７３】
また、クロマキー処理（白色や青色等の一色部分を削除して風景写真等に変更するような合成処理）による合成を利用して利用者の背景に風景写真や幾何学模様等の背景画像を合成する背景合成（塗りつぶし）、及び利用者の背景のみに書き込みを許容する背景描画（背景ブラシ）も許容する。
【００７４】
さらに、該編集処理では、これらの描画機能に加えて画質調整機能（画像補正機能）を備えている。該画質調整機能による指定領域の抽出処理及び画質調整処理は、調整領域選択ペン１４ｃ及び画質調整バー１４ｇを使用して次のように実行する。
【００７５】
画調整領域選択ペン１４ｃは、「小さめ」「少し小さめ」「普通」「広め」「かなり広め」の５つのタイプから選択して使用でき、いずれか１つのタイプが選択されて編集画像１４ｈがタッチされると、タッチされた位置の画素の色と近似する色の範囲が選択される。
【００７６】
例えば、画調整領域選択ペン１４ｃで「小さめ」が選択されて右側の利用者の頬がタッチされたとすると、図１０の画質調整説明図の（Ｃ）に示すように、頬の周辺が選択領域１４ｐとして選択する。すなわち、このとき制御装置１１は、（Ｃ）の一部を拡大した拡大部分に示すように、利用者にタッチされた点を指定画素１４ｒとして次に説明する抽出処理を実行し、選択領域１４ｐを決定する。抽出処理では、前記指定画素１４ｒの色と近似する色の範囲でかつ隣接する近似画素を選択範囲として抽出する。
【００７７】
しかし、この場合は選択領域が狭いため、利用者に「普通」が選択されて同様に頬がタッチされたとすると、近似色の色幅を広げて再度抽出処理を実行し、選択領域１４ｐを拡大して顔全体が選択できる。このように顔全体を選択した状態で首をタッチすると首が選択でき、（Ｄ）に示すように顔及び首を選択領域１４ｐとして選択する。このように選択領域１４ｐが決定すれば抽出処理が終了となる。
【００７８】
このように前記抽出処理で選択領域１４ｐが決定した状態で、画質調整処理を許容する。該画質調整処理では、利用者によって画質調整バー１４ｇ（図９）の例えば明るさを明るくするボタンがタッチされると、図１０の（Ｅ）に示すように、顔及び首の色を明るくする。このようにして利用者の好みの画質となれば、画質調整処理が終了となる。
【００７９】
このようにして編集処理が終了すると、制御装置１１は完成した編集画像を利用者の選択した配置パターンに配置してプリンタ１８で印刷する印刷処理を実行し（ステップｎ７）、図１１の平面図に示すように写真シールシート３３を排出する（ステップｎ８）。
【００８０】
以上の動作により、撮像、編集、印刷の各処理を実行して写真シールシート３３を自動作成することができる。これにより、利用者が数人であっても、可動スポットライト１３Ｂを使用し、また画質調整機能を利用して、自分好みの明るさや色合いに調整することができ、利用者全員に対して自分の写り具合の満足度を向上させることができる。
【００８１】
なお、可動スポットライト１３Ｂは、光度調整のみならず色調も変更できるように構成してもよい。この場合は扇形状のカラー半透明フィルムを複数色設蔵して円形に形成したカラーフィルタの円心を、可動スポットライト１３Ｂの発光面１３２近傍に枢着し、上記カラーフィルタを回転させて色調変更できるように構成すればよい。これにより、例えば左側の利用者は赤みがかった照明で、右側の利用者は青みがかった照明で撮像することができ、面白みのある写真画像（撮像画像）を得ることができる。
【００８２】
また、可動スポットライト１３Ｂは、手動で直接可動させるように構成してもよい。この場合は、ライトコントローラ１９及び駆動装置２０を省略することができ、コストダウンをはかり安価に写真シール作成機１を提供することが可能となる。
【００８３】
また、可動スポットライト１３Ｂは２つに限らず３つ以上等複数設置してもよく、設置位置に関しても撮像空間５の下方側部や中央側部、正面側や後方側等、様々な位置に対照的に又は非対称に設置してもよい。これにより、バリエーション豊かな照明パターンを提供でき、撮像時のアミューズメント性を向上することができる。
【００８４】
また、可動スポットライト１３Ｂの光度調整は、連続的に調整する光度調整つまみ１３３（光質連続調整手段）に替えて、段階的に調整する段階調整スイッチ（光質段階調整手段）を備えてもよい。
【００８５】
また、編集処理での編集画面の画質調整バー１４ｇは、段階的に選択する段階選択バー（画質段階選択手段）ではなく連続的に調整できるスライドバー（画質連続調整手段）で構成してもよい。
【００８６】
また、該画質調整バー１４ｇに替えて光度調整ボタン及び色変更ボタンを備え、光度調整ボタンがタッチされると明るさを段階的に変更していき、タッチペン１５ｂが離された瞬間の明るさに設定するように構成してもよい。色変更ボタンの場合も、同様に段階的に変更するように構成してもよい。
【００８７】
また、編集処理での選択領域１４ｐは、例えば肌色、茶色、又は黒等、所定の色域を制御装置１１で自動に検出する色域指定処理で決定してもよい。これにより、利用者は調整領域選択ペン１４ｃによる頬のタッチや画質調整範囲の広さの変更等を行わずとも、ワンタッチで肌色部分等を選択して画質調整を行うことが可能となる。
【００８８】
また、移動させた可動スポットライト１３Ｂが撮像画像に入っていた場合（写っていた場合）は、塗りつぶしツールやブラシツールで適宜の模様や色に塗りつぶすとよい。
【００８９】
また、前記モニタ１４は、ＣＲＴディスプレイ、液晶ディスプレイ、鏡、又は、画像を投射するプロジェクタや映写機等の投射手段と上記画像を写像（像を写し出す）するスクリーンやカーテンや筐体等の写像手段とを有する投射写像手段等の表示手段で構成してもよい。
【００９０】
また、例えばＵＳＢケーブルやＩＥＥＥケーブル等のデータ取込インターフェースを筐体４の正面側に備え、個人用のデジタルカメラやノートパソコン、携帯電話やＰＤＡ等から前記編集処理で使用する画像を取り込み可能に構成しても良い。これにより、例えば過去に撮像したお気に入りの写真画像を使用する、ペットの写真画像を使用する、あるいは、風景写真や花柄イラストを利用する等、利用者が自由な素材画像を利用して編集処理を行うことを可能にでき、利用者の満足度を向上させることができる。
【００９１】
この発明の構成と、上述の実施形態との対応において、
この発明の写真シール作成装置は、実施形態の写真シール作成機１に対応し、
以下同様に、
撮像空間は、撮像空間５に対応し、
撮像手段は、デジタルカメラ１２に対応し、
照明手段は、可動スポットライト１３Ｂに対応し、
指定領域は、選択領域１４ｐに対応し、
指定画素は、指定画素１４ｒに対応し、
編集手段は、入力装置１５に対応し、
光質変更手段は、入力装置１５及び光度調整つまみ１３３に対応し、
識別手段は、ＩＤタグリーダ／ライタ１７に対応し、
出力手段は、プリンタ１８に対応し、
可動手段は、ライトコントローラ１９、駆動装置２０に対応し、
シール紙ユニットは、シール紙ユニット３０に対応し、
識別体は、ＩＤタグ３１に対応し、
シール紙は、シール紙３２に対応し、
光質は、光度に対応し、
編集対象画像は、撮像画像又は／及び素材画像に対応し、
所定の画像は、編集画像に対応し、
他の取得手段は、データ取込インターフェースに対応し、
取得画像は、素材画像に対応するも、
この発明は、上述の実施形態の構成のみに限定されるものではなく、多くの実施の形態を得ることができる。
【図面の簡単な説明】
【図１】写真シール作成機の外観斜視図。
【図２】可動スポットライトの外観斜視図。
【図３】可動スポットライトの構造説明図。
【図４】ライトコントローラの平面図。
【図５】写真シール排出口の内部の部分拡大図。
【図６】写真シール作成機の制御回路を示す回路ブロック図。
【図７】写真シール作成機の制御装置の動作を示す処理フロー図。
【図８】撮像時のイメージ図。
【図９】編集画面イメージ図。
【図１０】画質調整説明図。
【図１１】写真シールシートの平面図。
【符号の説明】
１…写真シール作成機
５…撮像空間
１２…デジタルカメラ
１３Ｂ…可動スポットライト
１４ｐ…選択領域
１４ｒ…指定画素
１５…入力装置
１７…ＩＤタグリーダ／ライタ
１８…プリンタ
１９…ライトコントローラ
２０…駆動装置
３０…シール紙ユニット
３１…ＩＤタグ
３２…シール紙
１３３…光度調整つまみ
【図１】
2004177744.tif 000003
【図２】
2004177744.tif 000004
【図３】
2004177744.tif 000005
【図４】
2004177744.tif 000006
【図５】
2004177744.tif 000007
【図６】
2004177744.tif 000008
【図７】
2004177744.tif 000009
【図８】
2004177744.tif 000010
【図９】
2004177744.tif 000011
【図１０】
2004177744.tif 000012
【図１１】
2004177744.tif 000013